(57)【特許請求の範囲】
【請求項１】
使用開始する前に行われるセットアップにおける異常を検出することによって，一切の動作を停止すると共に警報を通知する不動状態となる画像処理装置において，
上記セットアップにおける異常を検出する異常検出手段と，
上記異常検出手段によって検出された異常が，定着処理を行う定着部の温度異常を誘発するものであるか否かを判断する定着異常判断手段と，
上記定着異常判断手段によって，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除制御手段と，
を具備してなることを特徴とする画像処理装置。
【請求項２】
前記定着異常判断手段は，上記異常が前記定着部の加熱ローラと加圧ローラとの圧接作業の不具合によるものであるか否かを判断するものである請求項１に記載の画像処理装置。
【請求項３】
前記不動状態解除制御手段は，前記セットアップが初回の場合にのみ前記不動状態を解除してなる請求項１又は２のいずれかに記載の画像処理装置。
【請求項４】
前記所定の操作が，所定のキー操作の組み合わせである請求項１〜３のいずれかに記載の画像処理装置。
【請求項５】
前記組み合わせに係る所定の操作が，少なくとも電源を遮断する操作を含んでなる請求項４に記載の画像処理装置。
【請求項６】
前記所定の操作が行われることによって，原稿画像を読取る可動な光学系を所定の固定位置まで移動させる移動手段と，
上記光学系が上記所定の固定位置に存在するか否かを判断する固定位置判断手段と，
上記固定位置判断手段によって上記光学系が上記所定の固定位置に存在すると判断された場合に画像処理装置の電源を自動的に即時切断する電源制御手段とを具備してなる請求項１〜５のいずれかに記載の画像処理装置。
【請求項７】
前記不動状態解除制御手段により前記不動状態が解除されない場合に，原稿画像を読取る可動な光学系を所定の固定位置まで移動させる移動手段と，
上記光学系が上記所定の固定位置に存在するか否かを判断する固定位置判断手段と，
上記固定位置判断手段によって上記光学系が上記所定の固定位置に存在すると判断された場合に画像処理装置の電源を自動的に即時切断する電源制御手段とを具備してなる請求項１〜６のいずれかに記載の画像処理装置。
【請求項８】
使用開始する前に行われるセットアップにおける異常を検出することによって，一切の動作を停止すると共に警報を通知する不動状態となる画像処理装置の制御方法において，
上記セットアップにおける異常を検出する異常検出工程と，
上記異常検出工程で検出された異常が，定着処理を行う定着部の温度異常を誘発するものであるか否かを判断する定着異常判断工程と，
上記定着異常判断工程で，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除工程とを備えることを特徴とする画像処理装置の制御方法。
【請求項９】
使用開始する前に行われるセットアップにおける異常を検出することによって，一切の動作を停止すると共に警報を通知する不動状態となる画像処理装置の制御プログラムにおいて，
上記画像処理装置のコンピュータに，
上記セットアップにおける異常を検出する異常検出工程と，
上記異常検出工程で検出された異常が，定着処理を行う定着部の温度異常を誘発するものであるか否かを判断する定着異常判断工程と，
上記定着異常判断工程で，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除工程とを実行させることを特徴とする画像処理装置の制御プログラム。
【発明の詳細な説明】
【０００１】
【発明の属する技術分野】
本発明は，原稿画像を読取る可動な光学系を具備する画像処理装置，その制御方法，その制御プログラムに関するものである。
【０００２】
【従来の技術】
従来，画像処理装置（例えば，複写機，スキャナ，ＦＡＸ等）においては，使用開始する前に行われたセットアップが異常であると判断されると，上記画像処理装置の一切の動作を停止すると共に警報を通知する不動状態となるものがある。
また，従来より，多くの画像処理装置（例えば，複写機，スキャナ，ＦＡＸ等）は，原稿画像を読取る可動な光学系を具備している。
具体的に上記光学系とは，原稿画像を読取るレンズ，ミラー，光源等のことであり，多くの原稿画像を素早く正確に走査して読取って，多くの画像処理を行えるように軽量，且つ精度良く製作されている。つまり，光学系は画像処理装置の性能を決定付ける重要な部分といえる。
そのため，画像処理装置が過酷な状況におかれる場合においては，光学系の精度を落とさないように保護する必要がある。
例えば，画像処理装置を運搬するときに，画像処理装置の機体に振動，衝撃等が加わる場合がある。このような場合に，該振動，衝撃が画像処理装置の光学系にまで及んで精度を落としたり，最悪の場合破損してしまうことある。
そこで，このような場合に対処するための技術として，以下のようなものが知られている。
例えば，図３に示すような構造を有する画像処理装置のスキャナ部について説明する。この図３において，原稿画像を読取る可動な光学系は，コンタクトガラス１２の下側にある第１光学系２１，第２光学系２２である。
上記第１光学系２１は，光源を具備しており，コンタクトガラス１２に載置された原稿を上記光源で照らしながら，矢印の方向に走査して該原稿を読取る。
また，上記第２光学系は，上記第１光学系の１／２のスピードで移動し，上記第１光学系が取得した原稿の像を反射する反射鏡具備している。
更に，図３に示されたスキャナ部には，上記第１光学系２１，第２光学系２２を移動させるためのスチール製ワイヤー２８と巻き取りドラム２６とプーリ２４，２５，２７がレイアウトされている。巻き取りドラム２６にはワイヤー２８が数回巻かれており駆動手段２９により正・逆回転することでワイヤー２８が巻き取られ，その巻き方向により第１光学系２１と第２光学系２２とが連動して左右に移動することが可能となっている。
また，上記第１光学系２１と第２光学系２２とが停止している場合は，図３に示すような位置で両者が近接して停止している（これを以下「ホームポジション」と称する）。
このような光学系を有する画像処理装置のスキャナ部においては，実開平３−９６６４１に示すように，ホームポジション付近にて各光学系に対しての外部からネジを挿入して固定する方法が一般的に利用されている。
また更に別の技術としては，特許第２９７９５７６号公報記載の発明は，画像処理装置を運搬する前に，通常は可動状態である光学系を所定の固定位置まで移動させて所定の係合部に係合させる技術について述べられている。つまり，上記発明は可動な光学系を係止することで振動，衝撃によって精度を落とさないように保護している。
【０００３】
【発明が解決しようとする課題】
しかしながら，従来の画像処理装置では，一旦，前記不動状態になると，ユーザではその不動状態を解除することができず，製造元から派遣されたサービスマン等によらなければ上記不動状態を解除することができなかった。そのため，サービスマンの派遣等の経費が膨大化するという問題がある。
また，上述の実開平３−９６６４１号公報記載の光学系の固定方法においては，各光学系の位置関係が規制されるため，光学系の部材や駆動部材の配置の際に支障が生じて，画像処理装置本体が大型化する問題がある。
更に，光学系の構成が異なる場合には，既に述べたホームポジションと異なる位置で光学系を固定する方が望ましい場合があるが，結局コンタクトガラスを外して手で光学系をホームポジションとは異なる固定位置まで移動させなければならなかった。
また，特許第２９７９５７６号公報記載の発明では，光学系を自動的に固定するための機構を設けるために，該機構のスペースが必要となり画像処理装置本体が大型化して，コストも上昇する問題があった。
更にまた，上記発明（特許第２９７９５７６号公報）の技術を用いて，あるユーザが画像処理装置の光学系を所定の固定位置で係止しても，不用意に他のユーザが上記画像処理装置を使用すると，既に固定されたはずの光学系が再び可動状態となってしまうことが考えられる。そのため，このような状態で上記画像処理装置が運搬されると，光学系に振動，衝撃が加わり精度を落としたり最悪の場合破損してしまうことが考えられる。
本発明は上記事情を鑑みてなされたものであり，その目的とするところは，セットアップ時の不具合による画像処理装置の不動状態のユーザによる解除を可能とすることによりサービスマンの派遣等の経費を節減することのできる画像処理装置を提供することにある。また，光学系が所定の固定位置に存在した場合に，自動的に即時電源を切断して，何人も光学系を移動できないようにする画像処理装置を提供することある。
【０００４】
【課題を解決するための手段】
上記目的を達成するために装置としての本発明は，使用開始する前に行われるセットアップにおける異常を検出することによって，一切の動作を停止すると共に警報を通知する不動状態となる画像処理装置において，
上記セットアップにおける異常を検出する異常検出手段と，
上記異常検出手段によって検出された異常が，定着処理を行う定着部の温度異常を誘発するものであるか否かを判断する定着異常判断手段と，
上記定着異常判断手段によって，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除制御手段とを具備することを特徴とする画像処理装置として構成されいる。
このように構成されているので，セットアップ時の不具合による画像処理装置の不動状態を解除することが可能となるので，従来のように画像処理装置の製造元のサービスマン等によって上記不動状態を解除する必要がなくなり，上記サービスマンの派遣等の経費を節減することが可能となる。
ここで，前記定着異常判断手段は，上記異常が前記定着部の加熱ローラと加圧ローラとの圧接作業の不具合によるものであるか否かを判断するものであることが考えられる。
また，前記不動状態解除制御手段は，前記セットアップが初回の場合にのみ前記不動状態を解除しても良く，前記所定の操作が，所定のキー操作の組み合わせ，若しくは該組み合わせに係る所定の操作が少なくとも電源を遮断する操作を含むことが望ましい。
このように構成することで，画像処理装置が本来不動状態であるべき状況である場合に，不用意に上記不動状態が解除されることを防止することが可能となる。
【０００５】
また，上記画像処理装置は，前記所定の操作が行われることによって，原稿画像を読取る可動な光学系を所定の固定位置まで移動させる移動手段と，
上記光学系が上記所定の固定位置に存在するか否かを判断する固定位置判断手段と，
上記固定位置判断手段によって上記光学系が上記所定の固定位置に存在すると判断された場合に画像処理装置の電源を自動的に即時切断する電源制御手段とを具備する構成が望ましい。
或いは，前記不動状態解除制御手段により前記不動状態が解除されない場合に，原稿画像を読取る可動な光学系を所定の固定位置まで移動させる移動手段と，
上記光学系が上記所定の固定位置に存在するか否かを判断する固定位置判断手段と，
上記固定位置判断手段によって上記光学系が上記所定の固定位置に存在すると判断された場合に画像処理装置の電源を自動的に即時切断する電源制御手段と，を具備する構成が望ましい。
このように構成することで，例えば上記不動状態を解除する操作をするときに，前記光学系の移動を実行することが可能となる。
また，上記画像処理装置の光学系を所定の固定位置に移動させた後に，人が不用意に上記画像処理装置を操作して上記光学系が可動状態になることを防止することができる。
更に，上記画像処理装置の光学系を固定する操作を行った人が，上記画像処理装置の電源を切り忘れることを防止することも出来る。
また，上記不動状態の解除は，前記光学系の移動と同様に特殊な処理であるが，その特殊な処理毎に操作方法が異なるとユーザが混乱する可能性がある。そこで，画像処理装置を上述のように構成することで，上記不動状態の解除及び前記光学系の移動の処理を同じ所定の操作を行うことで可能となり，ユーザが各操作方法を覚える負担を軽減することが可能となる。
【０００６】
また，上記目的を達成するために方法として捉えた本発明は，使用開始する前に行われるセットアップにおける異常を検出することによって，一切の動作を停止すると共に警報を通知する不動状態となる画像処理装置の制御方法において，
上記セットアップにおける異常を検出する異常検出工程と，
上記異常検出工程で検出された異常が，定着処理を行う定着部の温度異常を誘発するものであるか否かを判断する定着異常判断工程と，
上記定着異常判断工程で，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除工程とを備えることを特徴とする画像処理装置の制御方法として構成されている。
このように構成されているので，セットアップ時の不具合による画像処理装置の不動状態を解除することが可能となるので，従来のように画像処理装置の製造元のサービスマン等によって上記不動状態を解除する必要がなくなり，上記サービスマンの派遣等の経費を節減することが可能となる。
【０００７】
更にまた，本発明をプログラムとして捉えた場合，使用開始する前に行われるセットアップにおける異常を検出することによって，一切の動作を停止すると共に警報を通知する不動状態となる画像処理装置の制御プログラムにおいて，
上記画像処理装置のコンピュータに，
上記セットアップにおける異常を検出する異常検出工程と，
上記異常検出工程で検出された異常が，定着処理を行う定着部の温度異常を誘発するものであるか否かを判断する定着異常判断工程と，
上記定着異常判断工程で，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除工程とを実行させることを特徴とする画像処理装置の制御プログラムとして捉えることが出来る。
このように画像処理装置の制御プログラムが構成されているので，セットアップ時の不具合による画像処理装置の不動状態を解除することが可能となるので，従来のように画像処理装置の製造元のサービスマン等によって上記不動状態を解除する必要がなくなり，上記サービスマンの派遣等の経費を節減することが可能となる。
【０００８】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像処理装置Ａの概略構成図，図２は本発明の実施の形態に係る画像処理装置Ａの処理手順を示すフローチャート，図３は従来の画像処理装置の光学系の概略構成図，図４は画像処理装置の一例である複写装置の概略構成図，図５は図４の矢印Ｘの方向から見た断面図，図６は画像処理装置Ａの変形例である画像処理装置Ｂの概略構成に関するブロック図，図７は画像処理装置Ｂが行う一連の処理の一例を示したフローチャート，図８は画像処理装置Ｂが行う一連の処理の変形例を示したフローチャートである。
【０００９】
以下で説明する画像処理装置Ａは，原稿画像を読取る可動な光学系を具備するものであれば如何なるものでも良く，具体的には，複写機，スキャナ，ＦＡＸ等である。また，上記光学系とは，原稿画像を走査して読取るものであれば如何なるものでも良く，具体的には，レンズ，ミラー，光源，又はこれらを一体化させたものであっても良い。
図１を用いて，画像処理装置Ａの概略構成の一例を説明する。
画像処理装置Ａは，ユーザが画像処理装置Ａを操作するための操作部２０と，光学系が所定の固定位置に存在する場合に，そのことを検出する固定位置検出センサ３０と，可動な光学系を移動させるための駆動モータ４０と，画像処理装置Ａの電源の投入，切断を管理する電源部５０と，上記各部の制御を行い，移動手段，判断手段（固定位置判断手段に相当），電源制御手段の機能を有する制御部１０とを具備して構成されている。
また，制御部１０は，画像処理装置Ａの制御プログラムを格納しているＲＯＭ１１を具備している。
【００１０】
次に，上記移動手段，上記判断手段，上記電源制御手段，上記所定の固定位置について説明する。
上記移動手段とは，光学系を駆動モータ４０を駆動させることによって，所定の固定位置まで移動させる手段のことで，例えば，ＲＯＭ１１に格納されている制御プログラム，或いは回路によって達成される。
上記判断手段とは，光学系が所定の固定位置に存在するか否かを固定位置検出センサ３０の信号に基づいて判断する手段のことで，例えば，ＲＯＭ１１に格納されている制御プログラム，或いは回路によって達成される。
上記電源制御手段とは，上記判断手段によって光学系が所定の固定位置に存在すると判断された場合に，画像処理装置Ａの電源を切断するために電源部６０を切断する手段のことで，例えば，ＲＯＭ１１に格納されている制御プログラム，或いは回路によって達成される。
上記所定の固定位置とは，画像処理装置Ａが通常使用される場合にその光学系が存在する範囲とは異なり，画像処理装置Ａを運搬する場合などにおいて光学系を固定する位置のことである。
【００１１】
図２を用いて画像処理装置Ａが行う処理について説明する。
処理はステップＳ１０より開始する。
制御部１０は，ユーザが操作する操作部２０の入力に基づいて，光学系を固定させる指示の有無を判断する（Ｓ１０）。
このステップＳ１０において，ユーザが操作部２０を操作して光学系を固定させる指示を入力する方法としては，例えば，専用キーが操作部２０に用意されており，ユーザがその専用キーを押すことで上記指示を入力するか，或いは，ユーザがある特定の順番で特定のキーを押すことで上記指示を入力しても良い。
もちろんステップＳ１０の判断は，上記のような入力がなされた否かを判断するものである。
また，画像処理装置Ａの電源が投入されてない場合に，上記ステップＳ１０における光学系を固定させる操作入力が行われた状態で，画像処理装置Ａの電源が投入されると同時に上記判断を行っても良い。
制御部１０は，ステップＳ１０で上記指示が有ると判断した場合は，駆動モータ４０を駆動して，光学系を所定の固定位置まで移動させる（Ｓ２０）。
そして，制御部１０は，固定位置検出センサ３０の信号に基づいて，光学系が所定の固定位置に存在するか否かを判断する（Ｓ３０）。
【００１２】
ステップＳ３０で，光学系が所定の固定位置に存在すると判断された場合は，制御部１０は，電源部５０に対して電源を即時切断する命令を送信し，電源部５０は画像処理装置Ａを動作させる電源を切断する（Ｓ４０）。
そして，所定の固定位置にある光学系が，ユーザによってボルト等で固定される（Ｓ５０）。
もちろん，この固定は自動的に画像処理装置Ａが行っても良い。
このように画像処理装置Ａが構成され，動作することで，画像処理装置Ａの光学系を所定の固定位置に移動させた後に，人が不用意に画像処理装置Ａを操作して光学系が可動状態になることを防止することができる。
【００１３】
【実施例】
（実施例１）
また，前記ステップＳ５０で述べたボルトは，画像処理装置Ａが通常使用される場合は光学系から取り外されている。
そこで，例えば，画像処理装置Ａが通常使用される場合に，上記ボルトが電源部５０に挿入された状態でないと，画像処理装置Ａの電源が投入できないような仕組みを施しても良い。
このような仕組みを画像処理装置Ａに施すことで，ボルトが光学系を固定するために使用される場合は，画像処理装置Ａの電源を投入できないようにすることが出来る。
（実施例２）
次に，本発明を実現する画像処理装置の一例としての複写装置の概略構成について図４，図５を用いて説明する。
複写装置６１は、用紙収納トレイ６２と、プリント部６３と、スキャナー部６４とに大きく分けられる。
このように複写装置６１が構成されることで，用紙収納トレイ６２から給紙された用紙は，プリント部６３へ搬送され該プリント部６３内に設けられた現像装置６６、感光体ドラム６５、転写装置６７、定着装置６９を通過することでトナー画像が紙面に形成され，排出部７０に排出される。
スキャナー部６４は、内部に光源８１と第１ミラー８２が取り付けられた第１光学系８０ａと、第２ミラー８３と第３ミラー８４とが設けられた第２光学系８５ａと、レンズユニット８６と、ＣＣＤ８７とを具備し，更にスキャナ部の筐体７９の開口部にコンタクトガラス８８が載置され、シェーディング補正板８９、コンタクトガラス９０とを具備している。
スキャナ部６４の上部にはコンタクトガラス８８に原稿を送るための原稿搬送手段９１を具備しており，この原稿搬送手段９１には２組の搬送ローラ対９４、９５が設けられていて，原稿を読み取る際に，ローラ対９４，９５によって原稿を連続的にコンタクトガラス８８上に送って読み取られるようにしている。
更に，筐体７９の後方の外側（図４の紙面に向かって奥側）には，モータ１００（図５参照）と，光学系駆動部材１０１と，原稿搬送部材１０２とが設けられている。このモータ１００は，例えばステッピングモータを用いても良い。
上記光学系駆動部材１０１と上記原稿搬送部材１０２は，いずれもモータ１００によって駆動される。
また，上記モータ１００が上記２つの駆動部材のいずれを駆動するかの選択は，揺動自在に設けられた連結ギアー１０５がソレノイド（不図示）によって揺動されることによって，光学系駆動部材１０１又は原稿搬送部材１０２と連結されることによりなされる。
更に，図５に示すように，光学系駆動部材１０１の軸１０５には光学系を移動させるためのワイヤーを巻き取るための巻き取りドラム１０６が設けられていて，筐体７９の側壁には第１光学系８０ａと第２光学系８５ａとを原稿を走査方向に摺動できるようにレール１２２が設けられている。
このように構成されている複写装置６１における２つの光学系のホームポジション（光学系が原稿を読み取らない時の位置）は，図４に示すように，第１光学系８０ａは筐体７９の左側壁（図４の紙面に向かって左端）に位置し，第２光学系８５ａは筐体７９の中央付近に位置している。
つまり上述の複写装置６１の場合は，図３に示した場合と異なり２つの光学系が離れて存在している。したがって，上記２つの光学系をネジで固定する場合は，上記２つの光学系を筐体７９の端部（図４の紙面に向かって左端又は右端）に移動させて固定することが望ましい。
そこで複写装置６１の場合は，図４に示すように，上記２つの光学系を筐体７９の右側壁（図４の紙面に向かって右端），即ち第１光学系８０ｂ，第２光学系８５ｂの位置まで移動させて，ネジ３０１とネジ３０２とで第１光学系８０ｂと第２光学系８５ｂとを固定するようにしている。
【００１４】
（実施例３）
次に，図６〜８を用いて上記画像処理装置Ａの変形例である画像処理装置Ｂの概略構成について説明する。
尚，上記画像処理装置Ｂが具備する各部の符号において，上記画像処理装置Ａの符号と同じものについては同じ機能を有するものとする。
画像処理装置Ｂとは，既に述べた画像処理装置Ａに更に，シート材の給紙を行う給紙部，トナー像のシート材への転写処理を行う転写部，シート材に転写されたトナー像の定着処理を行う定着部，及び定着後のシート材の排紙を行う排紙部を具備し，画像処理に係る一連の処理を行う画像形成部２３０と，画像処理装置Ｂにおける処理状況や上記操作部２０より入力された情報等の表示を行う表示部２１０とを具備したものである。
また，画像形成部２３０の内部には，上記給紙部，上記転写部，上記定着部，及び上記排紙部における各々の処理に関わる部位の状態を検出するためのセンサ２２０が設けられており，その検出結果は上記制御部１０に送信される構成となっている。
更に，上記制御部１０は，上記センサ２２０の検出結果に基づいて画像処理装置Ｂのセットアップ時における異常を検出する異常検出機能と，該異常が画像形成部２３０の定着に関わる部位のものであるか否かを判断する判断機能（定着異常判断手段に相当）と，該判断の結果上記操作部２０に予め定められた所定の操作が入力された場合に画像処理装置Ｂの不動状態を解除するための制御機能（不動状態解除制御手段に相当）とを具備する手段の一例である。
【００１５】
上述の構成を有する画像処理装置Ｂが，セットアップ時に行われるべき定着部の加熱ローラと加圧ローラとの圧接作業の不具合によって不動状態となった場合に，上記不動状態を解除する際に行う一連の処理を図７のフローチャートを用いて説明する。
制御部１０は，画像処理装置Ｂが不動状態になった原因について，セットアップ時に行われるべき作業の不具合によるものか否かを判断する（Ｓ１００）。
上記ステップＳ１００の判断で，上記不動状態の原因が上記セットアップ時によるものでないと判断された場合は，制御部１０は画像処理装置Ｂの不動状態を維持する（Ｓ５００）。
他方，上記ステップＳ１００の判断で，上記不動状態の原因が上記セットアップ時によるものと判断された場合は，処理がステップＳ２００へ移行する。
制御部１０は，上記セットアップ時の不具合が画像形成部２３０における定着部の加熱ローラと加圧ローラとの圧接作業の不具合によるものか否かをセンサ２２０の検出結果に基づいて判断する（Ｓ２００）。
上記ステップＳ１００における判断では，上記セットアップ時の不具合が定着部の加熱ローラと加圧ローラとの圧接作業が実施されていない等の定着部の温度異常を誘発するものであるか否かを判断している。
上記ステップＳ２００の判断で，上記セットアップ時の不具合が定着部における異常によるものでないと判断された場合は，制御部１０は画像処理装置Ｂの不動状態を維持する（Ｓ５００）。
他方，上記ステップＳ２００の判断で，上記セットアップ時の不具合が定着部における異常によるものであると判断された場合は，処理がステップＳ３００に移行する。
【００１６】
次に，制御部１０は，操作部２０に所定の操作が行われたか否かを判断する（Ｓ３００）。
上記ステップＳ３００の判断では，画像処理装置Ａの不動状態を解除するための所定の操作が操作部２０に対して行われたか否かを判断している。
この所定の操作の具体例としては，例えば操作部２０が具備するキーの中で通常のキー操作では押すことのない予め定められた複数のキーを組み合わせたものであっても良い。また，上記複数のキーの組み合わせの中に画像処理装置Ｂの電源スイッチが含まれるものであっても良い。
上記ステップＳ３００の判断で，上記所定の操作が操作部２０に入力されたと判断されない場合は，制御部１０は画像処理装置Ｂの不動状態を維持する（Ｓ５００）。
他方，上記ステップＳ３００の判断で，上記所定の操作が操作部２０に入力されたと判断された場合は，処理がステップＳ４００へ移行する。
制御部１０は，操作部２０に上記所定の操作が入力されたことによって，画像処理装置Ｂの不動状態を解除する（Ｓ４００）。
このように，画像処理装置Ｂが一連の処理を行うことによって，セットアップ時の不具合による画像処理装置Ｂの不動状態を解除することが可能となるので，従来のように画像処理装置Ｂの製造元のサービスマン等によって上記不動状態を解除する必要がなくなり，上記サービスマンの派遣等の経費を節減することが可能となる。
【００１７】
（実施例４）
上述の実施例では，ユーザ等によって操作部２０に所定の操作が入力されることによって画像処理装置Ｂの不動状態を解除する場合について述べた。
しかしながら，上記不動状態の解除が上記所定の操作によって何時でも行えるものであると，例えばセットアップ時以外において画像処理装置Ｂが機器的な異常によって不動状態になった場合においても，上記不動状態が不用意に解除されてしまう可能性がある。
そこで，上述のように不用意に不動状態が何時でも解除されることを回避するために，図７のフローチャートに記載される一連の処理の中で，不動状態が解除されるステップＳ４００の処理の前に，所定の操作が操作部２０に入力されるのが初めてか否かを判断する処理を含めることによって，画像処理装置Ｂの不動状態を解除することが可能であるのがセットアップ時のみに限定されるようにしても良い。
この場合の処理について図８を用いて説明する。
図８のフローチャートは図７のフローチャートにおけるステップＳ３００とステップＳ４００との間に新たにステップＳ３５０の処理を追加したものである。
このステップＳ３５０の処理では，ステップＳ３００の判断において操作部２０に所定の操作が行われたと判断された場合に，該所定の操作が画像処理装置Ｂに対して初めて入力されたものであるか否かを判断する（Ｓ３５０）。
上記判断は，例えば，制御部１０が上記所定の処理の入力履歴を記憶する領域を具備する場合に，制御部１０が該領域にアクセスすることによって上記入力履歴の有無を判断することによって行っても良い。
上記ステップＳ３５０の判断で，上記所定の操作が今回初めて操作部２０に対して行われたものではないと判断された場合は，既に以前，操作部２０に対して上記所定の操作が行われているので，制御部１０は画像処理装置Ｂの不動状態を維持する（Ｓ５００）。
他方，上記ステップＳ３５０の判断で，上記所定の操作が今回初めて操作部２０に対して行われたものであると判断された場合は，制御部１０は画像処理装置Ｂの不動状態を解除する処理を行う（Ｓ４００）。
このような一連の処理を画像処理装置Ｂが行うことによって，画像処理装置Ｂが不動状態になった場合に，不用意に該不動状態が解除されることを防止することが可能となる。
【００１８】
【発明の効果】
以上説明したように，装置としての本発明は，使用開始する前に行われるセットアップにおける異常を検出することによって，一切の動作を停止すると共に警報を通知する不動状態となる画像処理装置において，
上記セットアップにおける異常を検出する異常検出手段と，
上記異常検出手段によって検出された異常が，定着処理を行う定着部の温度異常を誘発するものであるか否かを判断する定着異常判断手段と，
上記定着異常判断手段によって，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除制御手段とを具備することを特徴とする画像処理装置として構成されいる。
このように構成されているので，セットアップ時の不具合による画像処理装置の不動状態を解除することが可能となるので，従来のように画像処理装置の製造元のサービスマン等によって上記不動状態を解除する必要がなくなり，上記サービスマンの派遣等の経費を節減することが可能となる。
ここで，前記定着異常判断手段は，上記異常が前記定着部の加熱ローラと加圧ローラとの圧接作業の不具合によるものであるか否かを判断するものであることが考えられる。
また，前記不動状態解除制御手段は，前記セットアップが初回の場合にのみ前記不動状態を解除しても良く，前記所定の操作が，所定のキー操作の組み合わせ，若しくは該組み合わせに係る所定の操作が少なくとも電源を遮断する操作を含むことが望ましい。
このように構成することで，画像処理装置が本来不動状態であるべき状況である場合に，不用意に上記不動状態が解除されることを防止することが可能となる。
【００１９】
また，上記画像処理装置は，前記所定の操作が行われることによって，原稿画像を読取る可動な光学系を所定の固定位置まで移動させる移動手段と，
上記光学系が上記所定の固定位置に存在するか否かを判断する固定位置判断手段と，
上記固定位置判断手段によって上記光学系が上記所定の固定位置に存在すると判断された場合に画像処理装置の電源を自動的に即時切断する電源制御手段とを具備する構成が望ましい。
或いは，前記不動状態解除制御手段により前記不動状態が解除されない場合に，原稿画像を読取る可動な光学系を所定の固定位置まで移動させる移動手段と，
上記光学系が上記所定の固定位置に存在するか否かを判断する固定位置判断手段と，
上記固定位置判断手段によって上記光学系が上記所定の固定位置に存在すると判断された場合に画像処理装置の電源を自動的に即時切断する電源制御手段と，を具備する構成が望ましい。
このように構成することで，例えば上記不動状態を解除する操作をするときに，前記光学系の移動を実行することが可能となる。
また，上記画像処理装置の光学系を所定の固定位置に移動させた後に，人が不用意に上記画像処理装置を操作して上記光学系が可動状態になることを防止することができる。
更に，上記画像処理装置の光学系を固定する操作を行った人が，上記画像処理装置の電源を切り忘れることを防止することも出来る。
また，上記不動状態の解除は，前記光学系の移動と同様に特殊な処理であるが，その特殊な処理毎に操作方法が異なるとユーザが混乱する可能性がある。そこで，画像処理装置を上述のように構成することで，上記不動状態の解除及び前記光学系の移動の処理を同じ所定の操作を行うことで可能となり，ユーザが各操作方法を覚える負担を軽減することが可能となる。
【００２０】
また，方法として捉えた本発明は，使用開始する前に行われるセットアップにおける異常を検出することによって，一切の動作を停止すると共に警報を通知する不動状態となる画像処理装置の制御方法において，
上記セットアップにおける異常を検出する異常検出工程と，
上記異常検出工程で検出された異常が，定着処理を行う定着部の温度異常を誘発するものであるか否かを判断する定着異常判断工程と，
上記定着異常判断工程で，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除工程とを備えることを特徴とする画像処理装置の制御方法として構成されている。
このように構成されているので，セットアップ時の不具合による画像処理装置の不動状態を解除することが可能となるので，従来のように画像処理装置の製造元のサービスマン等によって上記不動状態を解除する必要がなくなり，上記サービスマンの派遣等の経費を節減することが可能となる。
【００２１】
更にまた，本発明をプログラムとして捉えた場合，使用開始する前に行われるセットアップにおける異常を検出することによって，一切の動作を停止すると共に警報を通知する不動状態となる画像処理装置の制御プログラムにおいて，
上記画像処理装置のコンピュータに，
上記セットアップにおける異常を検出する異常検出工程と，
上記異常検出工程で検出された異常が，定着処理を行う定着部の温度異常を誘発するものであるか否かを判断する定着異常判断工程と，
上記定着異常判断工程で，上記異常が上記定着部の温度異常を誘発するものであると判断された場合に，動作の命令及び設定等を行うための操作手段を具備する操作部に予め定められた所定の操作が行われることによって，上記画像処理装置の上記不動状態を解除する不動状態解除工程とを実行させることを特徴とする画像処理装置の制御プログラムとして捉えることができる。
このように画像処理装置の制御プログラムが構成されているので，セットアップ時の不具合による画像処理装置の不動状態を解除することが可能となるので，従来のように画像処理装置の製造元のサービスマン等によって上記不動状態を解除する必要がなくなり，上記サービスマンの派遣等の経費を節減することが可能となる。
【図面の簡単な説明】
【図１】本発明の実施の形態に係る画像処理装置Ａの概略構成図。
【図２】本発明の実施の形態に係る画像処理装置Ａの処理手順を示すフローチャート。
【図３】従来の画像処理装置の光学系の概略構成図。
【図４】画像処理装置の一例である複写装置の概略構成図。
【図５】図４の矢印Ｘの方向から見た断面図。
【図６】画像処理装置Ａの変形例である画像処理装置Ｂの概略構成に関するブロック図。
【図７】画像処理装置Ｂが行う一連の処理の一例を示したフローチャート。
【図８】画像処理装置Ｂが行う一連の処理の変形例を示したフローチャート。
【符号の説明】
Ａ………画像処理装置
Ｂ………画像処理装置
１０………制御部
１１………ＲＯＭ
２０………操作部
３０………固定位置検出センサ
４０………駆動モータ
５０………電源部
２１０………表示部
２２０………センサ
２３０………画像形成部
【図１】
0003618717.tif 000002
【図２】
0003618717.tif 000003
【図３】
0003618717.tif 000004
【図４】
0003618717.tif 000005
【図５】
0003618717.tif 000006
【図６】
0003618717.tif 000007
【図７】
0003618717.tif 000008
【図８】
0003618717.tif 000009